(57)【要約】【課題】チップレシーバの着脱作業が容易であると共に、チップレシーバの前方への脱落を防止することのできる刈取機を提供する。【解決手段】前後方向に伸びる刃物２と、該刃物２を支持する刃物支持部７と、該刃物支持部７に前方から後方に向けて着脱自在にスライド装着されるチップレシーバ３０とを備えた刈取機であって、チップレシーバ３０が刃物支持部７から前方へ抜け落ちることを防止すべく刃物支持部７にスライド装着されるストッパ４０が設けられ、該ストッパ４０を刃物支持部７にその弾性により係止及び係止解除する弾性係止部１３が設けられ、ストッパ４０の係合ピン４３がチップレシーバ３０の係合孔３７に係入する。【選択図】図３
2010110242.tif 000002
【特許請求の範囲】
【請求項１】
前後方向に伸びる刃物と、該刃物を支持する刃物支持部と、該刃物支持部に前方から後方に向けて着脱自在にスライド装着されるチップレシーバとを備えた刈取機であって、
チップレシーバが刃物支持部から前方へ抜け落ちることを防止すべく刃物支持部にスライド装着されるストッパが設けられ、該ストッパを刃物支持部にその弾性により係止及び係止解除する弾性係止部が設けられていることを特徴とする刈取機。
【請求項２】
チップレシーバとストッパには、互いに前後方向と直交する方向に凹凸係合する連結用係合部がそれぞれ形成されている請求項１記載の刈取機。
【請求項３】
刃物支持部は前後方向に伸びるアルミ押し出し材からなる支持部材を備え、該支持部材にその押し出し方向に沿って形成されたスライド装着用係合部にチップレシーバがスライド装着される構成であり、ストッパは支持部材の前端開口部に差し込まれて支持部材のエンドキャップとなるように構成されている請求項１記載の刈取機。
【発明の詳細な説明】
【技術分野】
【０００１】
本発明は、着脱自在なチップレシーバを備えた刈取機に関するものである。
【背景技術】
【０００２】
従来、この種の刈取機として本出願人は既に下記特許文献１所載のものを提案している。即ち、チップレシーバを刃物押さえにスライドさせて装着するという構成であって、従来のネジによる取付構成に比してその着脱作業が極めて容易になるという利点を有するものである。
【特許文献１】特許第３１２１５８０号公報
【特許文献２】特開２００６−１４６６１号公報
【発明の開示】
【発明が解決しようとする課題】
【０００３】
しかしながら、チップレシーバと刃物押さえとの間の摩擦力が仮に経時変化によって減少した場合には、使用中にチップレシーバに前後方向の力が過度に作用するとその位置が前後にずれて前方に外れる可能性がある。
【０００４】
その一方、上記特許文献２所載のようにチップレシーバを後端部側でネジによって固定する構成も提案されているが、やはりネジの締め付け作業が面倒である。
【０００５】
そこで本発明は上記従来の問題点に鑑みてなされ、チップレシーバの着脱作業が容易であると共に、チップレシーバの前方への脱落を防止することのできる刈取機を提供することを課題とする。
【課題を解決するための手段】
【０００６】
本発明は上記課題を解決すべくなされたものであって、本発明に係る刈取機は、前後方向に伸びる刃物と、該刃物を支持する刃物支持部と、該刃物支持部に前方から後方に向けて着脱自在にスライド装着されるチップレシーバとを備えた刈取機であって、チップレシーバが刃物支持部から前方へ抜け落ちることを防止すべく刃物支持部にスライド装着されるストッパが設けられ、該ストッパを刃物支持部にその弾性により係止及び係止解除する弾性係止部が設けられていることを特徴とする。
【０００７】
該構成の刈取機にあっては、ストッパが刃物支持部にスライド装着されることによってチップレシーバが使用中に刃物支持部から前方へ抜け落ちることが防止される。また、そのストッパを刃物支持部にその弾性により係止及び係止解除する弾性係止部が設けられているので、ストッパを刃物支持部にスライド装着する際には弾性係止部が弾性変形するのでストッパが弾性係止部によって係止される状態となり、逆に、ストッパを刃物支持部から外す場合にも弾性係止部が弾性変形することによってその係止状態が解除される。
【０００８】
特に、チップレシーバとストッパには、互いに前後方向と直交する方向に凹凸係合する連結用係合部がそれぞれ形成されていることが好ましい。
【０００９】
チップレシーバとストッパのそれぞれの連結用係合部が互いに凹凸係合することによってチップレシーバが確実に位置固定され、その前後方向への位置ずれが防止される。
【００１０】
また、刃物支持部は前後方向に伸びるアルミ押し出し材からなる支持部材を備え、該支持部材にその押し出し方向に沿って形成されたスライド装着用係合部にチップレシーバがスライド装着される構成であり、ストッパは支持部材の前端開口部に差し込まれて支持部材のエンドキャップとなるように構成されていることが好ましい。
【００１１】
支持部材としてアルミ押し出し材を使用することによって大きな強度が得られ、刃物の撓みが抑制されてスムーズに刈り取り作業を行うことができる。しかも、アルミ押し出し材であるのでスライド装着用係合部も押し出し方向に容易に形成できる。そして、ストッパが支持部材の前端開口部に差し込まれてエンドキャップとなるので、アルミ押し出し材からなる支持部材の前端面がストッパで隠れて外観体裁が良好になるうえに、刈り取った枝葉等が支持部材の前端開口部に入り込むということも防止され、支持部材の前端開口部から枝葉等を除去する作業も不要となる。
【発明の効果】
【００１２】
以上のように、ストッパによってチップレシーバの前方への脱落を防止でき、しかも、そのストッパのスライド装着も弾性係止部の弾性変形によって簡単且つ確実に行うことができる。
【発明を実施するための最良の形態】
【００１３】
以下、本発明の一実施形態にかかる刈取機について図面を参酌しつつ説明する。図１は本発明の一実施形態における刈取機を示す平面図、図２は図１のＡ−Ａ断面図、図３は同刈取機の部分斜視図であってストッパ４０の取付途中の状態を示しており、図４は同刈取機の要部拡大斜視図、図５は同刈取機のチップレシーバ３０の要部拡大斜視図、図６は図１のＢ−Ｂ断面図である。
【００１４】
図１に示すように、本実施形態における刈取機は、ヘッジトリマとも称されるが、本体１に内蔵された図示しない駆動装置としてのモータによって駆動されて前後に往復運動する刃物２を備えている。該刃物２は、上下に対向する一対の刃体３，４から構成され、各刃体３，４は前後方向に伸びる板状であってその両側部には側方に突出する三角状あるいは台形状の刃部が前後方向に一定間隔毎に形成されている。但し、刃部の間隔（ピッチ）を変えてもよく、例えば、刃体３，４の前部の刃部の間隔が後部の刃部の間隔よりも大きくなるように形成してもよい。そして、上下一対の刃体３，４が交互に前後に往復運動することにより枝葉を刈り取ることができる。尚、本実施形態では上下二枚の刃体３，４が共に往復運動するタイプであるが、一方を固定刃、他方を可動刃としてもよい。また、図１において符号５は本体１に一体に設けられた主ハンドルで、符号６は本体１に前後に回動可能に設けられた補助ハンドルである。
【００１５】
刃物２は刃物支持部７に前後に往復動可能に支持されている。該刃物支持部７は、図２のように刃物２を上下から挟み込むようにして支持する。具体的には、刃物支持部７も刃物２と同様に前後方向に伸びていてその後端部が本体１に取り付け固定されており、本実施形態では三つの支持部材を備えている。即ち、刃物支持部７は、刃物２の下側に位置する第１の支持部材８と、刃物２の上側に位置する第２及び第３の支持部材９，１０を備えている。第１の支持部材８と第２の支持部材９は共に金属製の帯状の板状体であって互いに上下に対峙し、両者の間には筒状のスペーサ１１が前後方向に間隔をあけて複数個配置され、そのスペーサ１１によって第１及び第２の支持部材８，９の上下間隔が設定されている。その一方、刃物２には前後方向に長い長孔１２がスペーサ１１に対応して複数形成されており、その長孔１２にスペーサ１１が位置することで刃物２は前後に往復動可能になっている。尚、刃物２は第１及び第２の支持部材８，９の間で前後に移動するので、第１及び第２の支持部材８，９には共に刃物２の摺動に対して耐久性に優れた素材が使用される。また、第１の支持部材８よりも第２の支持部材９の方が厚みが薄い。
【００１６】
更に第２の支持部材９の前端部には、図４及び図６に示すように、二本の切り込み線を介して中央部分をその両側部分から分離された、前後方向に長い長方形状の板バネ部１３（弾性係止部）が形成されている。該板バネ部１３は、その先端（前端）から途中までは後方に向けて徐々に上方に向かう前側傾斜面部１３ａとされ、その後は折り曲げ部を介して徐々に下方に向かう後側傾斜面部１３ｂとされ、この前側傾斜面部１３ａと後側傾斜面部１３ｂ部とから全体としてへの字状に形成されている。尚、この板バネ部１３の機能については更に後述する。
【００１７】
そして、第２の支持部材９の上側にそれと重ね合わせられるようにして第３の支持部材１０が配置されている。該第３の支持部材１０も第２の支持部材９と同様に前後方向に伸びているが、第２の支持部材９とは異なり、アルミ押し出し材から構成されている。この第３の支持部材１０は、その押し出し方向が前後方向であって、中空の角筒状に形成されている。第３の支持部材１０の下面には、その幅方向中央に、長手方向即ち前後方向に沿って前端部から後端部まで連続した切欠部２０が形成されていて下方に開口している。尚、図４のように、この切欠部２０に第２の支持部材９の板バネ部１３が下方から入り込んでいる。また、第３の支持部材１０の内側にはボルト２１の頭部２１ａが挿入され、そのボルト２１は下面の切欠部２０を介して下方に突出して前記スペーサ１１と第１の支持部材８を貫通し、第１の支持部材８の下方においてナット２２が螺着されている。このボルト２１とナット２２により、刃物２が刃物支持部７に取り付けられていると共に第１乃至第３の支持部材８，９，１０が上下一体化されている。尚、第３の支持部材１０の内側の中空部の断面形状はボルト２１の頭部２１ａに対応した形状となっている。
【００１８】
また、第３の支持部材１０の左右両側面には、図２及び図４のように、チップレシーバ３０を前後方向に沿ってスライド装着するためのスライド装着用係合部としての係合溝２３が形成されている。該係合溝２３も前後方向に沿って前端部から後端部まで形成されており、左右両側面に互いに対称位置に形成されている。即ち、本実施形態における第３の支持部材１０は左右対称形状であって前後を問わずに本体１に取り付けることができる。
【００１９】
かかる第３の支持部材１０の前端部からチップレシーバ３０が後方へ向けてスライド装着されている。該チップレシーバ３０は例えば合成樹脂から成形等により形成され、所定の可撓性を有している。該チップレシーバ３０は、図１乃至図３のように、その上面が略水平な平坦面とされて枝葉を載置する載置部３１と、該載置部３１の一方の側部から外向き斜め上方に立ち上がって枝葉を受け止める立ち壁部３２と、載置部３１の下面の他方の側部に形成されて第３の支持部材１０に取り付けるための取付部とを有している。載置部３１は刃物２の略全長に亘る長さを有し、立ち壁部３２は載置部３１の前端部と後端部にそれぞれ回り込むように伸びていて載置部３１の三方を囲んでいる。尚、立ち壁部３２から更に天井部を延設して枝葉等の上方への飛散を防止するようにしてもよい。
【００２０】
チップレシーバ３０の取付部は、載置部３１の下面から下方に突出する左右一対の凸条３４を備えている。該両凸条３４の間隔は第３の支持部材１０の両側面上部間の寸法に対応していて、両凸条３４が第３の支持部材１０の両側面上部を左右から挟むようにしてチップレシーバ３０は第３の支持部材１０に取り付けられる。そして、図５に示すように、チップレシーバ３０の両凸条３４の内面にはそれぞれ内方に突出する係合突起３５が形成されている。該係合突起３５は第３の支持部材１０の係合溝２３に係合するチップレシーバ３０側のスライド装着用係合部であって、この係合突起３５が係合溝２３に係合することでチップレシーバ３０が第３の支持部材１０から上方へ抜けることが防止される。尚、係合突起３５は左右の凸条３４毎に前側二カ所、後側二カ所の合計四カ所ずつ形成されているが、個数や配置位置は任意であって、連続して形成するかあるいは不連続とするか等もまた任意である。
【００２１】
また、図１においては、刃物２の右側に位置するようにチップレシーバ３０を取り付けているが、チップレシーバ３０を前後反転させて取り付けることもでき、その場合には刃物２の左側にチップレシーバ３０が位置することとなる。そして、載置部３１の前端と後端にはそれぞれ前方、後方に平面視半円状あるいは舌片状に突出した位置決め片３６が形成され、各位置決め片３６には上下に貫通する係合孔３７（連結用係合部）が形成されている（図１、図３、図５、図６参照）。
【００２２】
このようにチップレシーバ３０は第３の支持部材１０の前端部から後方に向けてスライド装着されるのであるが、該チップレシーバ３０が第３の支持部材１０から前方に抜け落ちることを防止するためにストッパ４０が設けられている。該ストッパ４０は、図６に示すように第３の支持部材１０にスライド装着されてチップレシーバ３０の抜け止めを行うものである。具体的には、ストッパ４０は、例えば合成樹脂から成形等により形成され、図３及び図６のように、第３の支持部材１０の前端開口部２４に差し込まれる差し込み部４１と、該差し込み部４１の一端に設けられてそれよりも大きい形状のヘッド部４２とからなる。図６のように差し込み部４１が第３の支持部材１０の前端開口部２４に差し込まれると、ヘッド部４２の差し込み部４１側の端面４２ａが第３の支持部材１０の前端面１０ａに当接し、それによってそれ以上のストッパ４０の後方への移動が阻止され、ストッパ４０の差し込み位置即ち前後方向の位置が決定される。また、ストッパ４０が第３の支持部材１０に差し込まれた状態でヘッド部４２は第３の支持部材１０の前端面１０ａ略全体を前側から覆い隠す。そのためストッパ４０は第３の支持部材１０のエンドキャップとして機能する。
【００２３】
更に、ストッパ４０の差し込み部４１の下面には上述した第２の支持部材９の板バネ部１３が係止してストッパ４０の前方への移動を防止している。即ち、ストッパ４０の差し込み部４１の下面は、ヘッド部４２側に位置して一段高くなった略水平の前側平面部４１ａと、該前側平面部４１ａよりも一段低くなった略水平の後側平面部４１ｃと、前側平面部４１ａと後側平面部４１ｃの間に位置して後方に向かうほど下方に傾斜した傾斜面部４１ｂとから構成されている。そして、第２の支持部材９の板バネ部１３における後側傾斜面部１３ｂとストッパ４０の下面の傾斜面部４１ｂは互いの傾斜角度が略等しく、ストッパ４０が装着された状態において両者は面で当接すると共に、板バネ部１３は差し込み部４１を上方に付勢する。但し、板バネ部１３とストッパ４０との間に隙間が存在していて板バネ部１３がストッパ４０を上方に付勢しない状態であってもよい。何れにしても第２の支持部材９の板バネ部１３における後側傾斜面部１３ｂがストッパ４０の下面を係止することによって、ストッパ４０の前方への移動が阻止される。但し、板バネ部１３はそれ自体の保有弾性によって上下方向に弾性変形、即ちへの字状の形状が開くように弾性変形することができる。従って、ストッパ４０を手で強く前方に引くと、板バネ部１３が下方に弾性変形し、板バネ部１３の後側傾斜面部１３ｂによるストッパ４０の係止状態が解除される。同様に、ストッパ４０を第３の支持部材１０に差し込むときには、差し込み部４１が板バネ部１３の前側傾斜面部１３ａに当接して板バネ部１３が下方に弾性変形し、図６に示すような係止状態となる。
【００２４】
また、ストッパ４０のヘッド部４２には上方に突出する円柱状の係合ピン４３（連結用係合部）が形成されている。該係合ピン４３は、図６のように、チップレシーバ３０の係合孔３７に係入（凹凸係合）し、これによってストッパ４０とチップレシーバ３０は互いに連結され、チップレシーバ３０が前後方向に位置決めされる。尚、ストッパ４０を第３の支持部材１０に装着する前に予めチップレシーバ３０にストッパ４０を連結させておいてチップレシーバ３０とストッパ４０をまとめて第３の支持部材１０にスライド装着させるか、あるいは、チップレシーバ３０を例えば半分ほど第３の支持部材１０にスライド装着した状態でストッパ４０をチップレシーバ３０に連結させ、その後、チップレシーバ３０を更に後方にスライドさせながらストッパ４０を第３の支持部材１０の前端開口部２４に差し込む。また、チップレシーバ３０が可撓性を有する場合には、先にチップレシーバ３０を第３の支持部材１０にスライド装着させておき、チップレシーバ３０の前側所定部分を上方に撓ませるようにしてストッパ４０を第３の支持部材１０の前端開口部２４に差し込み、ストッパ４０の係合ピン４３をチップレシーバ３０の係合孔３７に係入させて両者を連結させることもできる。この場合、チップレシーバ３０の位置決め片３６の先端下面をテーパ状にしてストッパ４０を差し込みやすくしてもよい。
【００２５】
以上のように構成された刈取機にあっては、第３の支持部材１０にストッパ４０がスライド装着され、そのストッパ４０が板バネ部１３によって係止されているので、係合ピン４３と係合孔３７の凹凸係合によってストッパ４０に連結されたチップレシーバ３０が使用中に前方に抜け落ちるということがない。また、係合ピン４３と係合孔３７の凹凸係合によってチップレシーバ３０の前後方向の移動が阻止されているので、前方のみならず後方への位置ずれも防止され、がたつきのない安定した使用感が得られる。しかも、ストッパ４０の係止状態は板バネ部１３の弾性変形によって解除されるので、ストッパ４０の取付、取り外しも容易である。従って、チップレシーバ３０の取付、取り外し作業も簡単に行うことができる。
【００２６】
また、第２の支持部材９の一部を板バネ部１３として用いる構成であるので、弾性係止部として別途の部材が不要である。更に、第３の支持部材１０の下面の切欠部２０から板バネ部１３がストッパ４０を係止する構成であるので、第３の支持部材１０にも別途の後加工が不要である。
【００２７】
また更に、第３の支持部材１０がアルミ押し出し材であるので、刃物支持部７の剛性が大きく、従って刃物２の撓み、特に上下方向の撓みが抑制されて安定した刈り取り作業ができる。しかも、アルミ押し出し材の第３の支持部材１０にスライド装着用係合部としての係合溝２３を形成しているので、押し出し成形時に同時に係合溝２３が形成でき、その形成工程が容易であって安価に製造できる。そして、ストッパ４０がエンドキャップとなって第３の支持部材１０の前端面１０ａを隠すので、外観体裁が良好となるうえに、刈り取った枝葉等が第３の支持部材１０の前端開口部２４に入り込むということも防止できる。そのため、第３の支持部材１０の前端開口部２４から枝葉等を除去するという、刈り取り作業後のメンテナンス作業も不要になる。
【００２８】
尚、本実施形態では、ストッパ４０が第３の支持部材１０における前端面１０ａの略全体を隠すように形成されているが、前端面１０ａの一部のみを隠すようにしてもよい。
【００２９】
また、第３の支持部材１０の側面にスライド装着用係合部としての係合溝２３を形成したが、上面に係合溝２３を設けてもよい。更に、第３の支持部材１０にスライド装着用係合部として係合溝２３を形成したが、逆に係合凸条を形成してもよい。このように第３の支持部材１０の形状も任意である。
【００３０】
更に、第３の支持部材１０の内側にストッパ４０が差し込まれるようにしてスライド装着される構成であったが、内側ではなく外側にスライド装着される構成であってもよい。
【００３１】
また更に、弾性係止部として第２の支持部材９に板バネ部１３を設けたが、別途の弾性係止部材を設けても無論よい。また、弾性係止部をストッパ４０側に設けてもよく、例えば、差し込み部４１の上面や下面、側面等に弾性係止部を設けてもよい。
【００３２】
尚、連結用係合部の構成も任意であって、ストッパ４０側に凸部としての係合ピン４３を設け、チップレシーバ３０側に凹部としての係合孔３７を設けたが、逆にストッパ４０側に凹部を設け、チップレシーバ３０側に凸部を設けてもよい。また、凹部は貫通孔でなくてもよい。更に、連結用係合部の凹凸方向も上下方向には限られず左右方向としてもよく、何れにしても前後方向と直交する方向とすればよい。
【００３３】
更に、連結用係合部によってストッパ４０とチップレシーバ３０が連結される構成について説明したが、ストッパ４０を別体とするのではなくチップレシーバ３０と一体に形成する構成としてもよい。
【００３４】
また、刃物支持部７を三つの支持部材から構成したが、上下二つの支持部材から構成したり、逆に四つ以上の支持部材から構成してもよく、アルミ押し出し材を使用しない構成であってもよい。
【００３５】
また更に、チップレシーバ３０が刃物支持部７の前端部から後方に向けてスライド装着される構成について説明したが、刃物支持部７の前後方向の中途部から後方に向けてスライド装着される構成であってもよい。
【００３６】
尚、刈取機の全体構成についても種々設計変更可能であって、駆動装置としてモータを使用した電動式に限らず、エンジン式であってもよい。
【図面の簡単な説明】
【００３７】
【図１】本発明の一実施形態における刈取機を示す平面図。
【図２】図１のＡ−Ａ断面図。
【図３】同実施形態における刈取機の部分斜視図であって、ストッパの取付途中の状態を示す。
【図４】同実施形態における刈取機の要部拡大斜視図。
【図５】同実施形態における刈取機のチップレシーバの要部拡大斜視図。
【図６】図１のＢ−Ｂ断面図。
【符号の説明】
【００３８】
１    本体
２    刃物
３    刃体
４    刃体
５    主ハンドル
６    補助ハンドル
７    刃物支持部
８    第１の支持部材
９    第２の支持部材
１０    第３の支持部材
１０ａ  前端面
１１    スペーサ
１２    長孔
１３    板バネ部
１３ａ  前側傾斜面部
１３ｂ  後側傾斜面部
２０    切欠部
２１    ボルト
２１ａ  頭部
２２    ナット
２３    係合溝（スライド装着用係合部）
２４    前端開口部
３０    チップレシーバ
３１    載置部
３２    立ち壁部
３４    凸条
３５    係合突起（スライド装着用係合部）
３６    位置決め片
３７    係合孔（連結用係合部）
４０    ストッパ
４１    差し込み部
４１ａ  前側平面部
４１ｂ  傾斜面部
４１ｃ  後側平面部
４２    ヘッド部
４２ａ  端面
４３    係合ピン（連結用係合部）
【図１】
2010110242.tif 000003
【図２】
2010110242.tif 000004
【図３】
2010110242.tif 000005
【図４】
2010110242.tif 000006
【図５】
2010110242.tif 000007
【図６】
2010110242.tif 000008